(57)【要約】【課題】新管と旧管との埋設位置が垂直方向、あるいは、水平方向にずれていても、従来管継手のように、ボルトを一度緩め、位置を調整した後に再度ボルトを締結する等の作業を行うことなく、短時間に確実に接続することができるガス配管用管継手を提供する。【解決手段】地下に埋設された旧管（Ｐ２）に新管（Ｐ１）を接続するためのガス配管用管継手において、可撓性を有する管継手本体１と、管継手本体１の両端部に取り付けられた、ボルト孔２ｂを有するフランジ２ａが形成された継手部材２とからなり、継手部材２は、管継手本体１の端部内に挿入される抜け止め部材７と、管継手本体１の端部外周に取り付けられるゴム輪８と、ゴム輪８を押し込んで、管継手本体１を縮径させる押し込み手段９とからなっている。【選択図】図１
2016080121.tif 000002
【特許請求の範囲】
【請求項１】
地下に埋設されている既設の旧管と新管との入れ取り替え工事の際に使用される、前記旧管と前記新管とを接続するためのガス配管用管継手において、
可撓性を有する管継手本体と、前記管継手本体の両端部に取り付けられた、ボルト孔を有するフランジが形成された継手部材とからなることを特徴とする管継手。
【請求項２】
前記継手部材は、前記管継手本体の端部内に挿入される抜け止め部材と、前記管継手本体の端部外周に取り付けられるゴム輪と、前記ゴム輪を押し込んで、前記管継手本体を縮径させる押し込み手段とを備えていることを特徴とする、請求項１に記載の管継手。
【請求項３】
前記押し込み手段は、前記ゴム輪を押し込む、ボルト孔を有する押し輪と、前記継手部材の前記ボルト孔と、前記押し輪の前記ボルト孔とに挿入されるボルトと、前記ボルトを締めるナットとからなることを特徴とする、請求項２に記載の管継手。
【請求項４】
前記抜け止め部材の外周面には、抜け止め用の突起が形成されていることを特徴とする、請求項１から３の何れか１つに記載の管継手。
【請求項５】
前記管継手本体の端部外周面は、平滑に形成されていることを特徴とする、請求項１から４の何れか１つに記載の管継手。
【請求項６】
前記新管は、樹脂管からなっていることを特徴とする、請求項１から５の何れか１つに記載の管継手。
【請求項７】
前記旧管は、金属管からなっていることを特徴とする、請求項１から５の何れか１つに記載の管継手。
【発明の詳細な説明】
【技術分野】
【０００１】
この発明は、管継手、特に、地下に埋設された既設のガス管と新設のガス管との入れ取り替え工事を行う際に使用する、既設のガス管の端部と新設のガス管の端部とを接続するためのガス配管用管継手に関するものである。
【背景技術】
【０００２】
地下に埋設された既設のガス管（以下、旧管という）と、新設のガス管（以下、新管という）との入れ取り替え工事を行う際には、長距離に亘って埋設されている旧管を、一度に新管に入れ替えることができないため、一回の工事で十数メートルの単位で管の入れ取り替えを行い、一回の工事が終わる毎に旧管と新管とを接続している。
【０００３】
この接続をする際に、新管と旧管の埋設位置が垂直方向、あるいは、水平方向にずれていても、新管と旧管とを容易かつ確実に接続することができる管継手の一例が特許文献１に開示されている。以下、この管継手を従来管継手といい、図面を参照しながら説明する。
【０００４】
図４は、従来管継手により新管と旧管とを接続した状態を示す正面図、図５は、図４のＢ部断面図、図６は、従来管継手の使用態様を示す側面図である。
【０００５】
図４に示すように、樹脂管からなる新管（Ｐ１）と金属管からなる旧管（Ｐ２）とを接続する従来管継手は、第１継手部材２１と、第２継手部材２２と、第３継手部材２３と、第１継手部材２１と第２継手部材２２とを接続する、コ字状に湾曲した第１接続管２４と、第２継手部材２２と第３継手部材２３とを接続する、逆コ字状に湾曲した第２接続管２５からなっている。
【０００６】
第２継手部材２２は、図５に示すようなメカニカル継手からなり、継手管２６と、バックアップリング２７、丸ゴム輪２８、角ゴム輪２９、押輪３０、ボルト３１、ナット３２とかならなっている。第１継手部材２１および第３継手部材２３もメカニカル継手からなっている。
【０００７】
第２継手部材２２により第１接続管２４と第２接続管２５とを接続するには、図５に示すように、それぞれ補強用内管３３、ロックリング３４、カラーリング３５が取り付けられた第１接続管２４と第２接続管２５とに、予め、バックアップリング２７、丸ゴム輪２８、角ゴム輪２９、押輪３０を挿入しておき、第１接続管２４および第２接続管２５の管端部を継手管２６内に挿入する。この後、押輪３０と継手管２６のフランジ２６ａとにボルト３１を挿入し、ナット３２により締結する。これによりバックアップリング２７、丸ゴム輪２８、角ゴム輪２９は、押輪３０を介して継手管２６内に押し込まれる結果、第１接続管２４と第２接続管２５とは、第２継手部材２２を介して接続される。
【０００８】
第１継手部材２１により第１接続管２４と新管（Ｐ１）とを接続する場合も、第２継手部材２２により第１接続管２４と第２接続管２５とを接続する場合と同様である。第３継手部材２３により第２接続管２５と旧管（Ｐ２）とを接続する場合は、第２接続管２５との接続については、上記と同様の接続構造を用い、旧管（Ｐ２）との接続については、旧管（Ｐ２）の端部外周面に抜け止め用のリング部材３６を取り付ける（図１参照）。この場合、旧管（Ｐ２）は、金属管で強度があるために、補強用内管３３は、不要である。
【０００９】
従来管継手によれば、図６（ａ）に示すように、新管（Ｐ１）と旧管（Ｐ２）との位置が垂直方向に距離（Ｈ１）だけずれていた場合には、第１接続管２４と第２接続管２５とのなす角度が（θ１）となるように、第１接続管２４と第２接続管２５とを第２継手部材２２を中心として回転させる。
【００１０】
また、図６（ｂ）に示すように、新管（Ｐ１）と旧管（Ｐ２）との位置が垂直方向に距離（Ｈ２）だけずれていた場合には、第１接続管２４と第２接続管２５とのなす角度が（θ２）となるように、第１接続管２４と第２接続管２５とを第２継手部材２２を中心として回転させる。
【００１１】
さらに、図６（ｃ）に示すように、新管（Ｐ１）と旧管（Ｐ２）との位置が水平方向に距離（Ｖ１）だけずれていた場合には、第１接続管２４と第２接続管２５とのなす角度が（θ３）となるように、第１接続管２４と第２接続管２５とを第２継手部材２２を中心として回転させる。
【００１２】
このように、従来管継手によれば、新管（Ｐ１）と旧管（Ｐ２）との埋設位置が垂直方向、あるいは、水平方向にずれていても、新管（Ｐ１）と旧管（Ｐ２）とを容易かつ確実に接続することができる。
【先行技術文献】
【特許文献】
【００１３】
【特許文献１】特開２０１３−６４４８５号公報
【特許文献２】特許第５４７５８５１号公報
【発明の概要】
【発明が解決しようとする課題】
【００１４】
上述した従来管継手によれば、新管（Ｐ１）と旧管（Ｐ２）との埋設位置が垂直方向、あるいは、水平方向にずれていても、新管（Ｐ１）と旧管（Ｐ２）とを容易かつ確実に接続することができるが、以下のような問題があった。
【００１５】
新管（Ｐ１）と旧管（Ｐ２）との埋設位置に対応して、第１接続管２４と第２接続管２５とを第２継手部材２２を中心として回転させる場合、第１継手部材２１、第２継手部材２２および第３継手部材２３のボルト３１を緩め、第１接続管２４と第２接続管２５とを第２継手部材２２を中心として所定角度、回転させた後、再度、ボルト３１を締め直す必要があった。
【００１６】
このようなボルト３１の締結作業を、第１継手部材２１、第２継手部材２２および第３継手部材２３の全てのボルト３１に対して行わなければならず、多大な時間と手間を要する。
【００１７】
従って、この発明の目的は、新管と旧管との埋設位置が垂直方向、あるいは、水平方向にずれていても、従来管継手のように、ボルトを一度緩め、位置を調整した後に再度ボルトを締結する等の作業を一切することなく、短時間に確実に接続することができるガス配管用管継手を提供することにある。
【課題を解決するための手段】
【００１８】
この発明は、上記目的を達成するためになされたものであり、下記を特徴とするものである。
【００１９】
請求項１に記載の発明は、地下に埋設されている既設の旧管と新管との入れ取り替え工事の際に使用される、前記旧管と前記新管とを接続するためのガス配管用管継手において、可撓性を有する管継手本体と、前記管継手本体の両端部に取り付けられた、ボルト孔を有するフランジが形成された継手部材とからなることに特徴を有するものである。
【００２０】
請求項２に記載の発明は、請求項１に記載の発明において、前記継手部材は、前記管継手本体の端部内に挿入される抜け止め部材と、前記管継手本体の端部外周に取り付けられるゴム輪と、前記ゴム輪を押し込んで、前記管継手本体を縮径させる押し込み手段とを備えていることに特徴を有するものである。
【００２１】
請求項３に記載の発明は、請求項２に記載の発明において、前記押し込み手段は、前記ゴム輪を押し込む、ボルト孔を有する押し輪と、前記継手部材の前記ボルト孔と、前記押し輪の前記ボルト孔とに挿入されるボルトと、前記ボルトを締めるナットとからなることに特徴を有する。
【００２２】
請求項４に記載の発明は、請求項１から３の何れか１つに記載の発明において、前記抜け止め部材の外周面には、抜け止め用の突起が形成されていることに特徴を有するものである。
【００２３】
請求項５に記載の発明は、請求項１から４の何れか１つに記載の発明において、前記管継手本体の端部外周面は、平滑に形成されていることに特徴を有するものである。
【００２４】
請求項６に記載の発明は、請求項１から５の何れか１つに記載の発明において、前記新管は、樹脂管からなっていることに特徴を有するものである。
【００２５】
請求項７に記載の発明は、請求項１から５の何れか１つに記載の発明において、前記旧管は、金属管からなっていることに特徴を有するものである。
【発明の効果】
【００２６】
この発明によれば、新管と旧管との埋設位置が垂直方向、あるいは、水平方向にずれていても、従来管継手のように、ボルトを一度緩め、位置を調整した後に再度ボルトを締結する等の作業を一切することなく短時間に確実に接続することができる。
【図面の簡単な説明】
【００２７】
【図１】この発明の管継手により新管と旧管とを接続した状態を示す部分断面図である。
【図２】図１のＡ部拡大図である。
【図３】抜け止め部材を示す部分断面図である。
【図４】従来管継手により新管と旧管とを接続した状態を示す正面図である。
【図５】図４のＢ部断面図である。
【図６】従来管継手の使用態様を示す側面図であり、（ａ）は、第１接続管と第２接続管とが垂直方向に距離（Ｈ１）だけずれた場合の第１接続管と第２接続管とのなす角度を示す図であり、（ｂ）は、第１接続管と第２接続管とが垂直方向に距離（Ｈ２）だけずれた場合の第１接続管と第２接続管とのなす角度を示す図であり、（ｃ）は、第１接続管と第２接続管とが水平方向に距離（Ｖ１）だけずれた場合の第１接続管と第２接続管とのなす角度を示す図である。
【発明を実施するための形態】
【００２８】
次に、この発明の管継手の一実施態様を、図面を参照しながら説明する。
【００２９】
図１は、この発明の管継手により新管と旧管とを接続した状態を示す部分断面図、図２は、図１のＡ部拡大図、図３は、抜け止め部材を示す部分断面図である。
【００３０】
図１から３において、１は、可撓性を有する管継手本体、２は、管継手本体１の両端部に取り付けられた継手部材（特許文献２参照）である。継手部材１は、管継手本体１の一端部に取り付けられた一方の継手部材３ａと、管継手本体１の他方端部に取り付けられた他方の継手部材３ｂとからなっている。
【００３１】
管継手本体１は、図２に示すように、合成樹脂からなる内管４と、内管４の外周面に一定のピッチにより螺旋状に巻き付けられ、内管４と一体化された、合成樹脂からなる補強部５と、補強部５上に一巻き状に巻回され、断面鱗状に摺動可能となるように一端部を重ね合わされた、合成樹脂からなる帯状部材６とからなっている。
【００３２】
管継手本体１を、このように形成することによって、薄肉形状である内管４によって可撓性を確保することができ、可撓性を妨げない程度のピッチにより螺旋状に巻き付けられた補強部５により、埋設時の土圧や車両荷重に対する強度を備えている。また、帯状部材６により、補強部５が配されていない空間部への土砂等の流入を防止し、内管４を保護する役割を果たしている。さらに管継手本体１の端部外周面は、平滑に形成され、後述する継手部材のゴム輪との密着を良好にし、気密性能を確実なものとしている。
【００３３】
また、管継手本体１の端部外周の外径寸法をポリエチレン管と同寸法とすることによって、ポリエチレン管を接続するための融着継手の使用が可能となる。この結果、２本の管継手本体１を融着継手により接続することが可能となるので、管継手本体１の可撓性による調整範囲がさらに拡大する。
【００３４】
一方の継手部材３ａおよび他方の継手部材３ｂは、何れも、管継手本体１の端部内に挿入される抜け止め部材７と、管継手本体１の端部外周に取り付けられるゴム輪８と、ゴム輪８を押し込んで、管継手本体１を縮径させる押し込み手段９とからなっている。一方の継手部材３ａおよび他方の継手部材３ｂには、ボルト孔２ｂを有するフランジ２ａが形成されている。
【００３５】
一方の継手部材３ａには、金属管からなる旧管（Ｐ２）が接続され、他方の継手部材３ｂには、樹脂管からなる新管（Ｐ１）が接続される。新管（Ｐ１）は樹脂管であるため、接続機構は、管継手本体１との接続機構と同じであり、旧管（Ｐ２）との接続機構は、図１に示すようなメカニカル継手を用いる。なお、旧管（Ｐ２）との接続は、この他の接続機構であっても良い。
【００３６】
押し込み手段９は、ゴム輪８を押し込む、ボルト孔１０ａを有する押し輪１０と、ボルト１１と、ボルト１１を締めるナット１２とからなっている。ボルト１１は、一方の継手部材３ａおよび他方の継手部材３ｂに形成されたボルト孔２ｂと押し輪１０のボルト孔１０ａとに挿入され、ナット１２により締結される。
【００３７】
抜け止め部材７は、筒状をなし、管継手本体１の管端部内に挿入される。抜け止め部材７の一端には、管継手本体１の管端面に当接するフランジ７ａが形成され、抜け止め部材７の外周面には、図３に示すように、突起としての、例えば、歯部７ｂが周方向に亘って形成されている。このように形成することによって、後述する管継手本体１の縮径により歯部７ｂが管継手本体１の内周面に食い込むため、歯部のない単純な筒状よりも管継手本体１の抜け出しを阻止する効果を高めることができる。
【００３８】
フランジ７ａの外径は、管継手本体１の外径より大きく、管継手本体１の外周面から突出したフランジ７ａ部分にゴム輪８が当接される。
【００３９】
歯部７ｂは、断面山形をなし、図３に示すように、歯部７ｂの挿入側面（Ｓ２）の、管継手本体１の軸線に対する角度（θ２）は、反挿入側面（Ｓ１）の、抜け止め部材７の軸線に対する角度（θ１）より小さく形成されている。このように形成することによって、抜け止め部材７を管継手本体１の端部内に挿入しやすく、一方、後述するように、管継手本体１の縮径により、歯部７ｂが管継手本体１の内周面に食い込んだ後は、管継手本体１の抜け出しを確実に阻止することができる。
【００４０】
歯部７ｂは、抜け止め部材７の軸方向に間隔をおいて独立して形成されるが、歯部７ｂを抜け止め部材７の軸回りに螺旋形状に形成しても良い。歯部７ｂを螺旋形状にすることにより、抜け止め部材７を管継手本体１の端部内に挿入する際、挿入がきつい状況においても、抜け止め部材７を回転させながら挿入することにより、螺旋形状部がねじの作用をなして、抜け止め部材７を容易に挿入することができる。また、抜け止め部材７を取り外す際にも、ねじの作用により取り外しが容易に行える。
【００４１】
ゴム輪８は、一方の継手部材３ａおよび他方の継手部材３ｂの端部内周面と管継手本体１の端部外周面との間に形成された隙間内に挿入される。ゴム輪８が押し込み手段９により隙間の奥部に押し込まれると、この押し込み力は、ゴム輪８の外周面が一方の継手部材３ａおよび他方の継手部材３ｂにより拘束されているので、管継手本体１を縮径する力となる。管継手本体１が縮径すると、抜け止め部材７の歯部７ｂが管継手本体１の内周面に食い込む。
【００４２】
以上のように構成されている、この発明の管継手によれば、図１に示すように、新管（Ｐ１）と旧管（Ｐ２）との埋設位置が垂直方向、あるいは、水平方向にずれていても、管継手本体１の可撓性によりずれを容易に調整することができる。
【００４３】
また、新管（Ｐ１）と旧管（Ｐ２）とを、従来管継手のように、ボルトを一度緩め、位置を調整した後に再度ボルトを締結する等の作業を行うことなく、容易かつ確実に接続することができる。
【００４４】
さらに、従来管継手のように、新管（Ｐ１）と旧管（Ｐ２）との接続部以外に調整部としての第２継手部材２２が不要となるため、管継手の軽量化といった効果により、作業性が更に向上する。
【００４５】
なお、新管（Ｐ１）と旧管（Ｐ２）は、ポリエチレン管や塩化ビニール管等の樹脂管であっても、鋳鉄管や鋼管等の金属管であっても良い。
【符号の説明】
【００４６】
Ｐ１：新管
Ｐ２：旧管
１：管継手本体
２：継手部材
２ａ：フランジ
２ｂ：ボルト孔
３ａ：一方の継手部材
３ｂ：他方の継手部材
４：内管
５：固定部
６：帯状部材
７：抜け止め部材
７ａ：フランジ
７ｂ：歯部
８：ゴム輪
９：押し込み手段
１０：押し輪
１０ａ：ボルト孔
１１：ボルト
１２：ナット
２１：第１継手部材
２２：第２継手部材
２３：第３継手部材
２３：第４継手部材
２４：第１接続管
２５：第２接続管
２６：継手管
２６ａ：フランジ
２７：バックアップリング
２８：丸ゴム輪
２９：角ゴム輪
３０：押し輪
３１：ボルト
３２：ナット
３３：内管
３４：ロックリング
３５：カラーリング
３６：リング部材
【図１】
2016080121.tif 000003
【図２】
2016080121.tif 000004
【図３】
2016080121.tif 000005
【図４】
2016080121.tif 000006
【図５】
2016080121.tif 000007
【図６】
2016080121.tif 000008